Podtech/llm-jp-corpus-v4-ja_patent huggingface dataset:
(57)【要約】【課題】  尿瓶の中に特殊形状の尿取りパットを入れて尿を瞬時に吸収する尿取りパットを提供する。【解決手段】  各種市販の尿瓶に、各種の尿瓶に合わせた特殊形状の尿取りパットの幅の広い部分を尿瓶の奥まで差込み、他方の幅の狭い部分は尿瓶の挿入口の外側に垂らして、紙テープを剥がして下側に接着したことを特徴とする特殊形状の尿取りパット。【選択図】  図１
2005185793.tif 000002
【特許請求の範囲】
【請求項１】
尿瓶の中に挿入する特殊形状の吸水性及び保水性を有する尿取りパットで、尿取りパット本体の一方幅の細い部分は、尿瓶の挿入口の外側に設け、細い部分の先端部分にずれ防止のテープを設けて尿瓶の挿入口の上部にずれないように接着する、尿取りパットの幅の太い部分は尿瓶の中に挿入した状態にした、尿瓶の中に尿取りパットを挿入したことを特徴とする特殊形状の尿取りパットである。
【請求項２】
尿瓶の中の尿を尿取りパットが尿を瞬時に吸収し、保水するため尿もれによる汚れが少なくなり、防臭にもなる。尿瓶の持運び、及び足で蹴飛ばしても尿がこぼれる事がない、そして尿取りパットを取り出す時も尿がこぼれないことを特徴とする請求項１記載の特殊形状の尿取りパットである。
【発明の詳細な説明】
【技術分野】
【０００１】  本発明は、尿瓶の中に挿入する特殊形状の尿取りパットに関するものである。
【背景技術】
【０００２】  従来、病院、介護施設、自宅等においては、尿瓶、布おむつ、紙おむつ、又は尿取りパット等がある。
【発明の開示】
【発明が解決しようとする課題】
【０００３】  そのために、次のような問題点があった。
（イ）  尿瓶の中に挿入する尿取りパットはなかった。
（ロ）  持ち運び時に尿瓶から尿をこぼすことがあった。
（ハ）  尿瓶を足で蹴って尿をこぼすことがある。
（ニ）  高齢者、病人が夜間トイレに起きるのがつらい。
（ホ）  寝具、寝巻きを汚すことが多い。
（ヘ）  尿をこぼすことで臭いが寝具、部屋につく。
（ト）  尿器を使う者、始末してくれる人（看護人）共に不快感がある。
本発明は、これらの問題点を解決するためになされたものである。
【問題を解決するための手段】
【０００４】  特殊形状の吸水性のある尿取りパットを設け，一方の幅の狭い部分の先端部分にずれない接着テープを設け、尿瓶の挿入口の下部に接着する、他方幅の広い部分は尿瓶の中に挿入する。特殊形状の吸水性のある尿取りパットは尿を吸水し、保水する。以上を特徴とする尿瓶の中に挿入する尿取りパットである。
【発明の効果】
【０００５】  特殊形状の使い捨て尿取りパットを尿瓶の中に挿入し、尿瓶の中に排尿した際、その尿を、瞬時に尿取りパットが吸収して、尿瓶の中には水分がたまらないため、尿瓶から尿をこぼすことが無く、又足で尿瓶を蹴飛ばしても尿はこぼれない、極めて衛生的である。又  瞬時に吸収する為、防臭と寝具、寝巻きを汚さない。
そして尿を大量に含有した尿取りパットを取り出す時は，尿瓶の挿入口の下部に接着したテープの先端部を剥がしてパットを取り出し尿をこぼすことなく簡単に捨てられる。
【発明を実施するための最良の形態】
【０００６】  以下、本発明の実施の形態について説明する。
（イ）  各種形状の市販の尿瓶（１）を用意する。
（ロ）  特殊形状に製作された尿取りパット（２）を用意する。
（ハ）  尿瓶（１）の挿入口（３）から中に特殊形状の尿取りパット（２）の幅が広            い部分を尿瓶（１）の奥まで挿入し、他方の幅の狭い部分を尿瓶（１）から            垂らして、挿入口の下側、尿瓶（１）の外側に紙テープを剥がして接着する            。
本発明は、以上のような構成で、これを使用する時は、市販の尿瓶の中に、特殊形状に製作された、尿取りパットを尿瓶の中に挿入しておき、幅の狭い部分を挿入口の下側、外部に紙テープを剥がして接着して置く。尿瓶の中に排尿した時に、瞬時に尿を尿取りパットが吸収してしまう。尿取りパットが尿を吸収してしまうため、尿瓶を持ち運ぶ時、又は尿瓶を蹴飛ばしてしまったときでも、尿は外部にこぼれず安心であり、清潔である。そして尿を大量に吸収した尿取りパットを、尿瓶から取り出すのも、接着テープを剥がして、簡単に捨てられる。
【実施例１】
【０００７】  図１に示すように、各種の市販の尿瓶の中に、各種の市販の形状に合わした特殊形状の尿取りパットの幅の広い部分を尿瓶の挿入口から奥に挿入し、他方幅の狭い側は、尿瓶の外側に垂らして尿瓶の下側に紙テープを剥がして、外れないように接着する。排尿の時、瞬時に吸収するため、下に溢す心配も無く、清潔で、蹴飛ばしても尿がこぼれない、捨てるのも簡単で毀れない、極めて清潔な、高齢者、病人、身障者には、便利な尿取りパットである。
【図面の簡単な説明】
【０００８】
【図１】  本発明の尿取りパットを挿入した正面図
【図２】  本発明の尿取パットの平面図
【図３】  本発明の尿取パットの側面図
【符号の説明】
【０００９】    １  尿瓶
２  特殊形状の尿取りパット
３  挿入口
４  両面接着テープ
【図１】
2005185793.tif 000003
【図２】
2005185793.tif 000004
【図３】
2005185793.tif 000005
(57)【要約】      （修正有）【課題】バツクがひつたくりや置引にあつたとき、盗難防止ブザーが鳴り、発光ダイオードが点灯して、周囲の人に犯行を知らせたり、犯人を特定して犯罪を防止する。【解決手段】バツク本体１に電波受信式盗難防止ブザー装置３と発光ダイオード４を組込み、携帯用電波発信器５で微弱電波を発信しておき、一定距離（３ｍ程度）が開くと電波が届かなくなると、スイツチが入り盗難防止ブザーを鳴し、発光ダイオードを点灯させる。電波受信盗難防止ブザー装置側にはスイツチがないので犯人が盗難防止ブザー音と発光ダイオードの点灯を切ることができない様にする。携帯用電波発信器でスイツチを切る構造とする。バツク本体と手さげ紐部２に柔らかくて、細目の鋼線ワイヤー６を組込み、カツターナイフ等で切られない構造とする。バツク本体は水に沈みにくい材質か防水型として、すぐに沈むのを防止する構造とする。【選択図】図１
2005185795.tif 000002
【特許請求の範囲】
【請求項１】
（イ）バツク本体（１）に電波受信式盗難防止ブザー装置（３）と発光ダイオード（４）を組込み連動させる。
（ロ）携帯用電波発信器（５）でスイツチが入りブザーを鳴らす。
同時に発光ダイオードが点灯する。
（ハ）携帯用電波発信器（５）で電波受信盗難防止ブザー装置と発光ダイオードの電源を切る。
（ニ）電波受信式盗難防止ブザー装置ではスイツチを切れない構造とする。
（ホ）バツク本体と手さげ紐部（２）に柔らかくて、細目の鋼線ワイヤー（６）を組込み、カツターナイフ等で切り取られない構造とする。
（ヘ）バツク本体は強度があり水に沈み難い材質、又は防水型構造とする。
以上の如く構成された、携帯用電波発信器と電波受信式盗難防止ブザー装置及び発光ダイオード付、ワイヤー組込、水に沈みにくい型のバツク。
【請求項２】
バツク本体（１）に電波受信式盗難防止ブザー装置（３）と発光ダイオード（４）を組込み、携帯用電波発信器（５）で一定距離ができた時、スイツチを入れ盗難防止ブザーを鳴らし、発光ダイオードを点灯させる，請求項１の携帯用電波発信器と電波受信式盗難防止ブザー装置と発光ダイオード付、ワイヤー組込、水に沈みにくい型のバツク。
【発明の詳細な説明】
【発明の詳細な説明】
【発明の技術分野】
【０００１】この発明は、バツクに電波受信式盗難防止ブザー装置及び発光ダイオードを組込み、連動させて、携帯用電波発信器と一定距離ができた時に作動する、電波受信式盗難防止ブザー装置と発光ダイオード付ワイヤー組込、水に沈みにくい型のバツクに関するものである。
【背景技術】
【０００２】従来では、女性が手にしているバツクを後ろから追い越す際に、ひつたくたり、置引する、などのバツクに関する犯罪が続出している。
【発明が解決しようとする課題】
【０００３】本発明は、その欠点を除いて、バツクがひつたくりや置引にあつたとき、電波受信式盗難防止ブザー装置及び発光ダイオードを組込んだバツク本体と携帯用電波発信器との間に一定距離ができた時にスイツチが入り盗難防止ブザーが鳴り、発光ダイオードが点灯して、周囲の人に犯行を知らせたり、犯人を特定して犯罪を防止する。カツターナイフ等でバツクを切り開き内側にある財布を抜き取る犯罪を防止する。又犯人がバツクを川などに捨てた時、すぐにバツクが沈まないようにする。
【課題を解決するための手段】
【０００４】いまその解決手段を図面にて説明すれば、
バツク本体（１）に電波受信式盗難防止ブザー装置（３）と発光ダイオード（４）を組込み、携帯用電波発信器（５）で微弱電波を発信しておき、一定距離（３ｍ程度）が開くと電波が届かなくなると、スイツチが入り盗難防止ブザーを鳴し、発光ダイオードを点灯させる。
スイツチが入ると再度一定距離内に戻つてもスイツチはきれない構造とす電波受信盗難防止ブザー装置側にはスイツチがないので犯人が盗難防止ブザー音と発光ダイオードの点灯を切ることができない様にする携帯用電波発信器でスイツチを切る構造とする。
バツク本体と手さげ紐部（２）に柔らかくて、細目の鋼線ワイヤー（６）を組込み、カツターナイフ等で切られない構造とする。
バツク本体は水に沈みにくい材質か防水型として、すぐに沈むのを防止する構造とする。
【発明を実施するための最良の形態】
【０００５】本発明は、以上のような構造であるから、これを使用するときは、バツクの電波受信式盗難防止ブザー装置と携帯用電波発信器の電源を入れ、別々に携帯すればよい。
【発明の効果】
【０００６】したがつて、ひつたくりや置引の犯行におよびずらい為、ひつたくり事件、置引事件、その他バツクに関する事件が減少するものである。
【図面の簡単な説明】
【図１】  本発明の斜視図
【図２】  電波受信式盗難防止ブザー装置
【図３】  携帯用電波発信器
【符号の説明】
１はバツク本体
２は手さげ紐部
３は電波受信式盗難防止ブザー装置
４は発光ダイオード
５は携帯用電波発信器
６は鋼線ワイヤー
【図１】
2005185795.tif 000003
【図２】
2005185795.tif 000004
【図３】
2005185795.tif 000005
(57)【要約】【課題】  ゴム紐を巻いたゴム動力において、巻き数が多い時から、少なくなった時まで、回転速度を下げ、変化を少なくし、長時間回ることを、可能とする。【解決手段】  フレーム１、に取付けた巻き取りクランク４、によりゴ厶紐２、を巻き、他の端に取付けた回転体９、をゴムの収縮力により引張り、フレーム１，にある回転体軸受け６、との間にある間隔を狭め、コイルバネ１５、が圧縮される。巻き戻し時、互いの間にある粘性グリース１４、の抵抗により回転体９、の回転速度を押さえる。ゴム紐２、の巻き戻りが進み、収縮力が弱まりコイルバネ１５、が伸び回転体９、と回転体軸受け６、の間隔が広くなり互いの間にある粘性グリース１４、の抵抗が少なくなり、回転体９、の回転速度の低下を少なくし、巻き戻り始めから、戻り終わりまでの間速度の上昇を押さえ、かつ一定速度を維持する。【選択図】    図  １
2005185791.tif 000002
【特許請求の範囲】
【請求項１】
ゴム紐の一端に取りつけた回転体と、その回転体軸受けとの間にある粘性グリスのの作用で、ゴム紐が巻かれた時、ゴム紐が巻き戻された時、回転体と回転体軸受けとの間隔がコイルバネの作用で変化し、粘性グリスの抵抗が変わり回転速度の制御をするゴム動力。
【請求項２】
回転体の端が見えるインジゲ−タ−窓により、ゴム紐の巻き具合が解る、インジゲ−タ−カバー。
【発明の詳細な説明】
【技術分野】
【０００１】  本発明は、粘性グリスを使った定速度回転のゴム動力に関するものである。
【背景技術】
【０００２】  ゴム動力は、ゴム紐を巻いて、動力軸を回転させ回転速度を制御する配慮はなく、回転速度は最初は速く、自然に遅くなるにまかせていた。【０００３】  然し、一定した回転速度を長く保持することは出来ないといゆう欠点があった。【０００４】  ゴム動力を、なるべく長時間一定速度で供給したい場合には、ゴム紐の長さを非常に長くする等の方法もあるが、実用的でない問題があった。【０００５】  ギヤで減速し、ガバナー等を使って定速度回転にする必要があるが、トルクが小になり構造が複雑になる。
【発明の開示】
【発明が解決しようとする課題】
【０００６】  解決しようとする問題点は、小型で簡単な構造にならない点である。【０００７】  本発明は、一定速度で、長時間回転する動力を得る為、ゴム紐が巻かれると収縮する力を利用して、粘性グリスの粘性抵抗を変化させることを主要な特徴とする。
【発明の効果】
【０００８】  本発明のゴム動力は、少ない回転数で長時間回転するという利点がある。又ゴム紐の巻き数も、ゴム紐の収縮量で大体の見当を付ける事が出来る。
【発明を実施するための最良の形態】
【０００９】  ゴ厶紐の巻き戻る力で回転する回転体と、フレームの回転体軸受けとの間に粘性グリースを挿入し、ゴム紐の収縮力により、互いの間隔を変化させ、粘性グリースの粘性抵抗を変えて回転軸の回転数を一定化するとゆう目的を、最小の部品点数で実現した。
【実施例】
【００１０】  図１は本発明の実施例で、魚の玩具の正面図である。また１はフレーム、２はゴム紐、３は巻取り軸受け、４は巻取りクランク、５は巻取り逆転止め、６は回転体軸受け、７は回転軸、８は回転体軸受け凹み部、９は回転体である。【００１１】  １０は回転クランク、１１はインジゲーターカバー、１２はインジゲーター窓、１３は尾ひれ、１４は粘性グリース、１５はコイルバネ、１６は尾ひれヒンジ、１７は尾ひれ切れ目である。【００１２】  回転体８、に取りつけられた回転クランク１０、を指で止めて、巻き取りクランク４、を廻すと、此れに取りつけられたゴム紐２、が巻かれて行く、充分に巻き、巻くのを止めても巻き取り逆転止め５で、ゴム紐２は元に戻る事はない。【００１３】  図２は、図１の左側面図である。【００１４】  図３は強く速度制御をした、制御部分の説明図であり、充分にゴム紐が巻かれた状態を示す。回転軸７、に取りつけた回転体９、は回転体軸受け６、の回転体軸受け凹部８、に収容された、コイルバネ１５、を圧縮し回転体軸受け６、との間隔が縮まり塗布してある粘性グリス１４、が強い抵抗力を現し強いゴム紐２、の回転力を押さえ回転速度を下げる、又インジゲーターカバー１１、の一部にある。インジゲーター窓１２、より回転体９、の一部が表示され、充分にゴム紐２、が巻かれたことを示す。【００１５】  回転クランク１０、を止めていた指を離すと、回転クランク１０、が回り始め、尾ひれ１３、は尾ひれヒンジ１６、を中心にして押された方向に曲がり、尾ひれ切れ目１７、を過ぎると、尾ひれ１３、は回転クランク１０、を離れ中立に戻り、更に回ると回転クランク１０、は尾ひれ１３、を反対側に曲げる。これを繰り返し、ゴム紐２、は緩んでくる。【００１６】  図４は弱く速度制御をした制御部分の説明図であり、ゴム紐２、が緩むと回転体９、は回転体軸受け凹部８、に収容されたコイルバネ１５、が伸びて回転体９、と回転体軸受け６、の間隔が広がり相互に塗布してある粘性グリース１４、の抵抗力が弱まりゴム紐２、の回転力が弱まっても回転体９、の回転速度を下げない。【００１７】  図５、はゴム動力の速度制御、有り無しの比較表であり、縦軸が回転数、横軸が回転時間を示し、１８は速度制御無しの特性ライン、１９は速度制御有りの特性ラインであり、ゴム動力を一定回転数で長時間回した場合の特性を表わす。
【産業上の利用可能性】
【００１８】  ゴム紐が巻かれた時の収縮力を利用して、粘性グリースの抵抗力を変化させ、一定回転数で長時間廻すことが出来るので、従来のゼンマイ動力と歯車、ガバナー等による動力に比べ簡単な構造で安価な構造を提供できる。
【図面の簡単な説明】
【００１９】
【図１】定速度回転ゴム動力を利用した魚の玩具の正面図。
【図２】同左側面図。
【図３】強く速度制御をした、制御部分の説明図。
【図４】弱く速度制御をした、制御部分の説明図。
【図５】ゴム動力の速度制御、有り無しの比較表。
【符号の説明】
【００２０】          １    フレーム
２    ゴム紐
３    巻き取り軸受け
４    巻き取りクランク
５    巻き取り逆転止め
６    回転体軸受け
７    回転軸
８    回転体軸受け凹部
９    回転体
１０  回転クランク
１１  インジゲーターカバー
１２  インジゲーター窓
１３  尾ひれ
１４  粘性グリース
１５  コイルバネ
１６  尾ひれヒンジ
１７  尾ひれ切れ目
１８  速度制御無しの特性ライン
１９  速度制御有りの特性ライン
【図１】
2005185791.tif 000003
【図２】
2005185791.tif 000004
【図３】
2005185791.tif 000005
【図４】
2005185791.tif 000006
【図５】
2005185791.tif 000007
(57)【要約】【課題】２人以上で遊べて、決められた形（正方形）を先に作るルールでボードゲーム・コンピュータゲームとして楽しめるシステムを提供する。【解決手段】正方形のボードにマトリックス（７×７）を構成し、プレイヤーごとに色のついたコマを振り分ける。プレイヤーはターン制（交互）でコマを左右上下に移動することができる。コマの置いていない場所であれば２マスでも３マスでも移動できる。ゲームの勝敗は先に同じ色のコマを正方形に４つ並べたら方が勝ち。【選択図】なし【特許請求の範囲】
【請求項１】
マトリックス上に置かれた色の異なったコマ（青・赤又は白・黒）を先に同色コマ４つ（正方形）に合わせた方が勝つゲームシステム。
【発明の詳細な説明】
［技術分野］
【０００１】本発明は、ボードゲーム・コンピュータゲーム用のゲームシステムである。
［背景技術］
【０００２】従来のボードゲームでは、形をつくるルールがなかった。
オセロゲームのようにマスをうめる物がほとんどである。
［発明の開示］
［発明が解決しようとする課題］
【０００３】マトリックス上のマスをうめずにゲーム終了をできる事が課題
［課題を解決するための手段］
【０００４】あらかじめ並べられた自分のコマ２４コのうち、４つを正方形に並べることによって解決される。
［発明の効果］
【０００５】対戦相手の動きを読みながらオフェンスとディフェンスができる
［発明を実施するための最良の形態］
【０００６】本発明の実施形態を図１〜図２に基づいて説明する
【０００７】図１は７×７のマトリックス上の盤の上に２４コのコマを配置。
色を黒・白又は青赤に分けて、各１２個を持ちコマとする。
【０００８】交互にコマを移動させ、図２の状態になればゲームクリアとなる。
【図面の簡単な説明】
【０００９】
【図１】ゲームスタート時の配置図
【図２】ゲーム終了時、４つのコマが正方形になった時の図
【図１】
2005185789.tif 000002
【図２】
2005185789.tif 000003
(57)【要約】【課題】  本発明において解決すべき課題は、従来の技術では、包装上或いは輸送時の安全性を確保するために、懸架部をフレームの中に収納する必要があり、角ハンガーのフレームの幅と、懸架部の本体とレバーの長さは、制限が課せられていた。このため場合によっては懸架部本体が短く設計され、使用時にレバーをバネの圧力に対抗する力で握って先端部を開く場合に、困難が生じていた。  本発明は、この双方の課題を解決することが目的である。【解決手段】  角ハンガー折り畳み時に、懸架部をフレームの内側で左右に移動させ、フレームと懸架部の先端を衝突させない機構を作ることによって、課題を解決することができる。懸架部本体に長穴を設置して結合リングとの間でスライド機構を設け、懸架部を左右に移動できるようにすることによって、折り畳み時に懸架部先端とフレームとの衝突を防止する。且つ、スライド機構を設けることによって懸架部本体の長さを握りやすい長さとすることが可能となる。これによって、双方の課題を解決することができる。【選択図】図６
2005185790.tif 000002
【特許請求の範囲】
【請求項１】
洗濯用物干し具の角ハンガー等を、物干し竿又は紐に吊るすための懸架部の本体に、スライド機構をもつ構造。
【発明の詳細な説明】
【発明の詳細な説明】
【技術分野】
【０００１】  本発明は、洗濯用物干し具の角ハンガー等の懸架部に対する構造に関するものである。
【背景技術】
【０００２】  図７に、角ハンガーの使用時に竿に掛けた時の懸架部、フレーム及びワイヤーの相互関係を示す。
この種の角ハンガー懸架部は、使用時に竿に掛ける場合には特に問題はないが、不使用収納時、或いは製品の包装及び其の輸送時に角ハンガーを折り畳んだ場合、フレームの枠内に収納する必要がある。このため、懸架部本体の長さはフレームの幅の内側に収められる範囲に制限されていた。又は、フレームの幅を懸架部の長さの２倍以上にしておく必要があった。
図１の如く角ハンガーを折り畳んだ場合、若し懸架部本体が長いと（１）のフレームの先端に懸架部のレバー（４）の先端（２）が衝突する。
この場合には包装時にこの部分が突出して、輸送途上に袋の破損又は懸架部の破損の可能性が生ずる。或いは外箱寸法も大きくなり、輸送コストが上昇する。よって本体（３）は長さが制限されるか、又は、フレームの幅を（２）の先端が衝突しない幅以上のものとしなければならなかった。
逆に、図３の如く懸架部本体（３）の長さを短くした場合には、使用時にレバーを握って先端部（２）を開こうとすると、本体（３）の長さと（４）のレバー部が短いため、レバーの先端が掌の内側に入ってしまい、力を入れ難くなると言う問題があった。  図中の（５）はワイヤー接合部、（６）はワイヤーを示している。
【発明が解決しようとする課題】
【０００３】  本発明において解決すべき課題は、上記の如く従来の技術では、角ハンガーのフレーム（１）の幅と、懸架部の本体（３）とレバー（４）の長さは、包装に対し或いは輸送時の安全性を確保するために、制限が課せられていた。
本発明は、この両面の課題を解決することが目的である。
【課題を解決するための手段】
【０００４】  角ハンガー折り畳み時に、懸架部をフレームの内側でワイヤー接合部を中心に左右に移動させ、フレームと懸架部の先端を衝突させない機構を作ることによって、課題を解決することができる。
【発明を実施するための最良の形態】
【０００５】  図５に示す如く、（３）の本体部にスライド用長穴（７）を設ける、（５）のワイヤー接合部には、角ハンガーフレームを吊るワイヤー（６）と懸架部とを連結させるための、（８）の保持リングを設置する。ワイヤー接合部（５）に取付けられた保持リング（８）を（７）の長穴の中に入れる。これによって懸架部本体（３）は保持リングを介して自由に移動可能となる。
（９）は本体（３）と（４）のレバーを結合するピン、（１０）はレバー開閉用のバネを示す。
本体（３）にスライド用の長穴（７）を設けることによって、本体（３）は、自由にスライドし、角ハンガー折り畳み時にフレームの中に収納することが出来る。
【実施例】
【０００６】  図６に実施例を示す。（ａ）はワイヤー接続部（５）と本体（３）、保持リング（８）及びスライド用長穴（７）の関係を示す。ワイヤー接続部（５）は、左右の穴によってワイヤーに連結される。またこれに取付けられた保持リング（８）によって、本体（３）に明けられた長穴（７）と結合する。（４）はレバー、（９）は（３）と（４）の結合用ピン、（１０）は、レバー開閉用のバネである。
（ｂ）は、本体（３）を横に倒した時の状態を示す。
（ｃ）は、本体（３）を長穴（７）を利用して横にスライドした時の状況を示す。【０００７】  本体（３）は、角ハンガーを折り畳んだときに、長穴（７）を利用して横にスライドさせて、位置を適当に移動させることが出来る。
図２は、その効果を示すものである。懸架部本体（３）は、長穴（７）によって左右にスライドし、フレームの中に収めることが出来る。その結果包装時にも（３）の本体の先端、若しくは（４）のフレームの先端がフレームと衝突することが無くなる。
図４は、この発明により本体（３）と、レバー（４）の長さの制約は解除され必要な長さが確保され、握り易くなり、握力も掛けやすくなる状態を示している。
【発明の効果】
【０００８】  本発明により、角ハンガーの折り畳み時に、懸架部はフレーム内に収納され、包装時に突起部が無くなることによって袋の形態が四角形に整理され輸送時の破損の畏れが無くなる。  箱の形状も小型化されて輸送費削減が期待できる。
【図面の簡単な説明】
【図１】  従来の技術による角ハンガー折り畳みの状態図
【図２】  本発明による角ハンガー折り畳みの状態図
【図３】  従来の技術による懸架部レバー操作状態図
【図４】  本発明による懸架部レバー操作状態図
【図５】  懸架部の正面図、側面図、底面図
【図６】  本発明によるスライド機構作用状態図
【図７】  角ハンガー通常使用状態図
【符号の説明】
【０００９】    （１）  角ハンガーフレーム
（２）  懸架部レバー側先端
（３）  懸架部本体
（４）  懸架部レバー
（５）  ワイヤー接続部
（６）  ワイヤー
（７）  懸架部スライド用長穴
（８）  保持リング
（９）  結合ピン
（１０）  レバー開閉用バネ
【図１】
2005185790.tif 000003
【図２】
2005185790.tif 000004
【図３】
2005185790.tif 000005
【図４】
2005185790.tif 000006
【図５】
2005185790.tif 000007
【図６】
2005185790.tif 000008
【図７】
2005185790.tif 000009
(57)【要約】【課題】フックによる係合を比較的小さな力で解除できる気密コンパクトを提供する。【解決手段】内容物を収納する区画凹部を有する容器本体（１）と、該区画凹部の外縁に当接してその内部空間を気密状態に保持する中蓋（１）と、容器本体に枢軸を介して揺動可能に保持される蓋体（４）とを備えた気密コンパクトにおいて、前記容器本体（１）に、蓋体（４）に係合して密閉状態を維持するフック（５ａ）を有しその押圧に伴うスライドにて該フック（５ａ）による係合を解除して蓋体（４）の開放を可能とする押しボタン（５）を設ける。【選択図】図１
2005185744.tif 000002
【特許請求の範囲】
【請求項１】
内容物を収納する区画凹部を有する容器本体と、該区画凹部の外縁に当接してその内部空間を気密状態に保持する中蓋と、容器本体に枢軸を介して揺動可能に保持される蓋体とを備えた気密コンパクトであって、
前記容器本体に、蓋体に係合して密閉状態を維持するフックを有しその押圧に伴うスライドにて該フックによる係合を解除して蓋体の開放を可能とする押しボタンを設けたことを特徴とする気密コンパクト。
【請求項２】
フックによる係合代が、０．４６〜１．００mmである請求項１記載の気密コンパクト。
【請求項３】
前記中蓋は、前記区画凹部の外縁の突端から側壁にかけて接触するシール部材を有する請求項１又は２記載の気密コンパクト。
【発明の詳細な説明】
【技術分野】
【０００１】
本発明は、気密コンパクトに関するものであり、該コンパクトの使い勝手の改善を図ろうとするものである。
【背景技術】
【０００２】
コンパクトは一般にアイシャドーやアイライナー、ファンデーション等の化粧料をパフ等の塗布具とともに収納できる内部空間を有しており、とくに、内容物に関しては揮発成分の揮散を防止するとともに湿気の侵入を回避する観点から、容器本体内に中蓋を設けて内容物を収納した空間のみを気密状態に保持するようになっている
【０００３】
ところで、従来のこの種のコンパクトは、蓋体でもって中蓋を押圧して容器本体に対する接触面圧を大きくして高い気密性を確保する仕組みになっており、蓋体と容器本体との嵌合が強くなりすぎる傾向にあって、蓋体を開けるべくフックを回動又は撥ね上げることでその係合を解除する際（例えば特許文献１参照）にフックピースに大きな力を付与せねばならず、使い勝手が悪いところに問題を残していた。
【特許文献１】実公昭６４−５５２６号公報
【発明の開示】
【発明が解決しようとする課題】
【０００４】
本発明の課題は、中蓋を強く押しつけて気密性を高める場合であっても比較的軽い押圧で蓋を開けることができる使い勝手のよい気密コンパクトを提案するところにある。
【課題を解決するための手段】
【０００５】
本発明は、内容物を収納する区画凹部を有する容器本体と、該区画凹部の外縁に当接してその内部空間を気密状態に保持する中蓋と、容器本体に枢軸を介して揺動可能に保持される蓋体とを備えた気密コンパクトであって、
前記容器本体に、蓋体に係合して密閉状態を維持するフックを有しその押圧に伴うスライドにて該フックによる係合を解除して蓋体の開放を可能とする押しボタンを設けたことを特徴とする気密コンパクトである。
【０００６】
上記の構成になる気密コンパクトにおいては、フックによる係合代を、０．４６〜１．００mmとするのが好ましい。
【０００７】
また、前記中蓋は、前記区画凹部の外縁の突端から側壁にかけて接触するシール部材を配置するのが望ましい。
【発明の効果】
【０００８】
押しボタンをスライドさせてフックの係合を解除するため、蓋体が容器本体に対して強い力で押し付けられた状態にあっても比較的軽い押圧でもって蓋を開けることができ使い勝手がよい。
【発明を実施するための最良の形態】
【０００９】
以下、図面を用いて本発明をより具体的に説明する。
図１（ａ）（ｂ）は本発明に従う気密コンパクトの実施の形態を示した図であり（ａ）は平面図（蓋体を取り外した状態）、（ｂ）は側面を断面で示した図である。
【００１０】
図における１は容器本体、２は容器本体１に配置され内容物を収納する区画凹所を形成する受け皿、３は受け皿２の外縁に当接してその内部空間を気密状態に保持する中蓋である。この中蓋３は容器本体１に枢軸３ａを介して揺動可能に保持されている。
【００１１】
また、４は容器本体１に枢軸Ｓを介して揺動可能に保持される蓋体である。この蓋体４はその閉状態で中蓋３を容器本体１に押し付けることができるようになっている。５は容器本体１に弾性支持され蓋体４を開放する押しボタン、そして６は中蓋３に設けられ受け皿２の外縁の突端から側壁にかけて接触するシール部材である。
【００１２】
押しボタン５は蓋体４の爪部４ａに係合して密閉状態を維持するフック５ａを有しその押圧に伴う矢印Ｘに沿うスライドにて該フック５ａによる係合を解除して蓋４の開放を可能とする。
【００１３】
従来タイプの気密コンパクトもフックピースを押圧することでフックによる係合を解除する仕組みになっているが、該フックは押圧によって回動させる形式のものであり、その係合を解除するには比較的大きな力を必要としている。本発明の気密コンパクトは、従来タイプのものと異なり押しボタン５を押してスライドさせるだけでフック５ａによる係合を解除できるもので、この時、フックの回動又は撥ね上げによる押し上げ作用がないので大きな力は必要としない。
【００１４】
従来タイプの気密コンパクトの場合、フックの係合代は何れのものもほぼ０．３〜０．４５mm程度であるのに対して本願発明においては０．４６〜１．００mm程度に設定することが可能で、これにより蓋体４を容器本体１にしっかりと密着させて閉状態に保持できる。
【００１５】
シール部材６については受け皿２の外縁の突端にのみに接触させてシールすることができるが、突端から側壁にかけてシールことでより高いシール性が確保される。
【産業上の利用可能性】
【００１６】
気密性が高く、比較的ソフトなタッチ（軽い押圧）でもって蓋を開けることができるコンパクトを提供できる。
【図面の簡単な説明】
【００１７】
【図１】本発明にしたがう気密コンパクトの実施の形態を示した図であり、（ａ）は平面図、（ｂ）は側面を断面で示した図である。
【符号の説明】
【００１８】
１  容器本体
２  受け皿
３  中蓋
３ａ  枢軸
４  蓋体
４ａ  爪部
５  押しボタン
５ａ  フック
６  シール部材
【図１】
2005185744.tif 000003
(57)【要約】  【課題】  簡単な構造で、横臥している人がＴＶその他の画像を観賞できるベッドを提供すること。  【解決手段】  フレーム１８の頭側に配設されたヘッドボード１２に、前記ヘッドボード１２の平面部に対して観音開き若しくは片開きをなすように、枢着された液晶パネルのディスプレイ３０を備えたベッド１０を構成した。  【選択図】  図１
2005185346.tif 000002
【特許請求の範囲】
【請求項１】
フレームの頭側に配設されたヘッドボードに、前記ヘッドボードの平面部に対して観音開き若しくは片開きをなすように、枢着された液晶パネルのディスプレイを備えたベッド。
【発明の詳細な説明】
【技術分野】
【０００１】
本発明は、ベッドに関し、ベッド上に横臥している人がＴＶその他の画像を観賞できるようにしたにベッドに関する。
【背景技術】
【０００２】
ベッド上に横臥している人がＴＶその他の画像を観賞できるようにしたベッドは、例えば特許文献１に開示されている。すなわち、このベッドは、フレーム全体が天蓋で覆われており、この天蓋の頂部には、画面がヘッドボードを指向するように、ＣＲＴが固定されている。そして、フレームに載置されたマットレス上に横臥する人が、この画面を見て、ＴＶ番組等を観賞できるようになっている。
【特許文献１】米国特許第５，４５９，８９３号公報
【発明の開示】
【発明が解決しようとする課題】
【０００３】
確かに、上記したベッドは、横臥している人がＴＶその他の画像を観賞できるという点については至便ではあるが、ＣＲＴ固定用の天蓋を設けねばならないことは、ベッドの構成自体を複雑にして、実用性を欠くものである。
【０００４】
それゆえに、本発明は、簡単な構造で、横臥している人がＴＶその他の画像を観賞できるベッドを提供することを、その課題とする。
【課題を解決するための手段】
【０００５】
上記の課題を解決するために請求項１で講じた技術的手段は、「フレームの頭側に配設されたヘッドボードに、前記ヘッドボードの平面部に対して観音開き若しくは片開きをなすように、枢着された液晶パネルのディスプレイを備えたベッド。」を構成したことである。  
【発明の効果】
【０００６】
請求項１に記載の発明によれば、液晶パネルのディスプレイをヘッドボードに、その平面部に対して観音開き若しくは片開きをなすように、枢着したので、液晶パネルのディスプレイがヘッドボードと一体化され、構造が簡単となる。また、不使用時には、液晶パネルのディスプレイをヘッドボード内に畳み込むので、邪魔にならない。
【発明を実施するための最良の形態】
【０００７】
以下、本発明を実施するための最良の形態を、図面を基に説明する。
【０００８】
図１に示されるように、本発明の実施形態に係るベッド１０は、ヘッドボード１２、フットボード１４及び双方のボード１２・１４を連結する一対のビーム１６・１６（一方のみ図示）から構成されるフレーム１８を備える。フレーム１８上には、ビーム１６・１６間に位置して、ヘッド側が起立する起倒式床板（図示略）が配置されており、この床板上にはマットレス２０が載置される。
【０００９】
ヘッドボード１２は、床上に設置されるベース２２に対して上下動可能に装着されており、また、フットボード１４は、床上に設置されるベース２４対して上下動可能に装着されている。しかして、図示されない駆動装置を作動させると、ヘッドボード１２、フットボード１４及び双方のボード１２・１４を連結する一対のビーム１６・１６（一方のみ図示）から構成されるフレーム１８が、全体として、床面に対して上下動するようになっている。
【００１０】
ヘッドボード１２には、液晶パネルのディスプレイ３０が枢着されており、図示のように、ヘッドボード１２から引き出せば、背側が起立されたマットレス２０上に横臥している使用者が、楽な姿勢でディスプレイ３０の画面を見ることができるようになっている。不使用時は、ディスプレイ３０を、平面部に形成された矩形の凹部１２ａ内に折り畳み収容して、全体として面一となるようにすれば、何の支障も生じない。
【００１１】
尚、図示しないが、別の液晶パネルのディスプレイ（図示略）を準備して、一対の液晶パネルのディスプレイを観音開きの態様で、ヘッドボード１２の平面部に枢着しても良い。
【００１２】
また、ビーム１６から一対の突起部４０・４０が、水平外方向に延在するように設けられており、この突起部４０・４０に対して、サイドガード５０の足部５２・５２が、挿脱衣自在に装填されている。しかしてサイドガード５０には、テーブルタップ６０のコンセント部６２が装着されており、コンセント部６２から延出してプラグ６４に連なるコード６６は、部分的にカール状とされている。これにより、コード６６の長さが所定の範囲内で可変とでき、サイドガード５０の装着位置がフレームの長手方向での変更に対処できるようになっている。
【００１３】
尚、テーブルタップ６０のコンセント部６２に接続される電気機器としては、シェーバーや電気毛布及を例示することができる。
【図面の簡単な説明】
【００１４】
【図１】本発明に係るベッドの実施形態例の全体斜視図である。
【符号の説明】
【００１５】
１０  ベッド
１２  ヘドボード
１４  フットボード
１６  ビーム
１８  フレーム
２０  マットレス
３０  液晶パネルのディスプレイ
５０  サイドガード
６０  テーブルタップ
６２  コンセント部
６４  プラグ
６６  コード
【図１】
2005185346.tif 000003
(57)【要約】【課題】本発明は、苗木の移植に際し、苗木の根にかかる力が均等となるようかつミミズの発生を促す苗床を提供する移植手段の提案にある。【解決手段】本発明は、紐状物を隙間を有するように立体的に絡み合せ、その下部の隙間を約平板状に密閉し、移植用苗木の下部に設置し、苗木の根が前記隙間に進入するように育成させることを特徴とする移植用苗床である。【選択図】  図1
2005185221.tif 000002
【特許請求の範囲】
【請求項１】
紐状物を隙間を有するように立体的に絡み合せ、その下部の隙間を約平板状に密閉し、移植用苗木の下部に設置し、苗木の根が前記隙間に進入するように生育させることを特徴とする移植用苗床。
【発明の詳細な説明】
【技術分野】
【０００１】
本発明は、苗木の移植を容易にするための技術に属する。
【背景技術】
【０００２】
苗木を傷つけず移植するため、特開平11-113413には紙製でその表面に複数の孔をあけたポット内で苗木を育てポットごと移植する方法が開示されており、特開2002-262672にはメッシュの袋を使用しメッシュの袋内に入れた土壌中で苗木を育てそのメッシュごと移植する方法が開示されている。
【０００３】
これら苗木の移植方法は、いずれもその移植する苗木の根の周辺部分のみが袋あるいはポットで固定されるだけとなる。移植する際根に絡みついた土壌にかかる力は苗木を中心として最縁部が最大となる。またその部分の根は細かいため苗床から引き上げたとき痛みやすい。
【０００４】
また上記方法では、微生物、ミミズなどの小動物による土壌の改良に寄与することに何ら考慮が払われていない。特にミミズの発生は土壌の通気性を高め苗木の育成に好影響を与えることが知られている。
【特許文献１】特開平11-113413
【特許文献２】特開2002-262672
【発明の開示】
【発明が解決しようとする課題】
【０００５】
本発明は、苗木の移植に際し、苗木の根にかかる力が均等となるようかつミミズの発生を促す苗床を提供する移植手段の提案にある。
【課題を解決するための手段】
【０００６】
本発明は、紐状物を隙間を有するように立体的に絡み合せ、その下部の隙間を約平板状に密閉し、移植用苗木の下部に設置し、苗木の根が前記隙間に進入するように生育させることを特徴とする移植用苗床である。
【発明の効果】
【０００７】
本発明は、紐状物が隙間を有しながら立体的に絡み合った移植床を用いてその苗床内に根を伸長させる。そのため紐状物と根が適度に絡み合い全体として土壌を支えるため根にかかる負担が小さくなる。
移植床の底面部を約平面状に塞いだため、その下部はミミズの成育に適した場所となるため、ミミズの発生を促し土壌改良が進む。
【発明を実施するための最良の形態】
【０００８】
以下本発明を図により詳細に説明する。
図１は、本発明である移植用苗床の概念図の例示である。
図２は、移植用苗床に苗木を育成した移植用苗木を示している。
【０００９】
図１に示すように移植用苗床は（１）紐状物を隙間を有するように立体的に絡み合せてある。（２）その絡み合った立体下部の隙間を約平板状に密閉してある。
この苗床を移植用苗木の下部に設置し、苗木の根が前記隙間に進入するように育成させることで根が紐状物と絡み合って土壌を固定し、また下部の平板によって土壌を支えるため、移植時に根を傷めずに堀上が可能となる。
紐状物は繊維状もしくは繊維よりは太めに押し出されたプラスチック繊維あるいは、繊維を縒って0.1〜3ｍｍ程度の太さにしたものが好ましく使用される。紐状物を絡み合わせ、あるいはらせん状に巻き両端を切り離し両端同士を繋ぎ、あるいは両端を切り離したものを適宜2〜数個絡み合わせて固定する。
【００１０】
上記移植用苗床は、絡み合わせた紐状物の下部を溶融あるいは接着して約平坦部とすることで製造される。平坦部はその表面にでこぼこがあっても何ら問題はなく、表面がふさがれていればよい。
【００１１】
図１ａは円板状にドーナツ状に紐状物がめぐらされた移植用苗床である。
ドーナツの中心部で苗木を育て、根を紐状物がめぐらされた内部に成長させ下部の円板と植物の根とで土壌を支持するものである。
図では下部が円板であるが、中心部に孔のあいた板であってもよい。
図１ｂは下部が円板状でその上部に籠状に紐状物がめぐらした移植用苗床である。
図１ｃはほぼ十字型の平板上に紐状物をめぐらした移植用苗床である。
図１ｄは平板状に紐状物をめぐらした移植用苗床である。
いずれも紐状物は網目状あるいは籠状もしくはランダムに外方向に広がる外表面上にめぐらした図となっているが外表面に限定することなく内部にもめぐらしたものであってもよい。
移植する植物、移植する場所によって使い分けすることが可能である。直線状に配置された場所に移植する場合には図１ｄに示した形状のもの、円形の場所に移植する場合には図１ａないし図１ｃに示した移植用苗床を使用するのが好ましい。
【００１２】
図２は上記移植用苗床で育てた苗木の断面図を示している。
図に示すように苗木はその根を紐状物の内部に侵入し、紐状物と絡み合うようにして土壌を固定し、移植時に下部の板状物が土壌を支えるとともに土壌を確保する。移植前また移植後ともに、下部の板状物の下層ではミミズの生息域となり、適宜土壌中を移動することにより土壌全体の通気性を高め、土壌改良の効果が得られる。
【００１３】
移植用苗床は、プラスチック製が土壌を支持するための適度の強度が得られるため好ましく、必要に応じて生分解性のプラスチックも試用することができる。
【図面の簡単な説明】
【００１４】
【図１】本発明である移植用苗床の形状の例を示す概念図である。
【図２】本発明である移植用苗床を使用した苗木の状態を示す概念断面図である。
【符号の説明】
【００１５】
１  移植用苗床
２  紐状部
３  平板部
４  苗木
【図１】
2005185221.tif 000003
【図２】
2005185221.tif 000004
(57)【要約】チョッパーなどでの含水乾物などの押出しを容易にする事を、目的とした１部品【課題】従来の幾種によっては、小孔目からの製品作りは圧縮された含水乾物などがチョッパーの孔目（プレート）に詰まり製品作りが困難だった。【解決手段】解決手段として従来のプレート孔目の内側え従来の孔目の２分の１の薄さ１ｍｍの半鋼鉄製の鉄板孔目板を取り付けた。これによって孔目での摩擦が無くなり押出しが容易になった。この薄板孔目穴を０．５ｍｍ程擂り鉢上に削りこめば更に押出しが更に容易に成る直径３ｍｍ粉砕する場合、直径６ｍｍの、プレートの孔目の中心に合う様に直径３ｍｍの薄板孔目を密着させ、チョッパーの凸部え確実に留める2005185263.tif 0000022005185263.tif 000003
【特許請求の範囲】
【発明の詳細な説明】
【技術分野】本発明はチョッパーなどの練製品及び乾燥製品を直径４ｍｍ以下の小孔目プレート目皿より粉砕混練押し出しをする
場合圧縮された含水乾物状物などが幾種によっては、プレート（孔目皿）の孔目に目詰まりがおこり製品の押出しが困難であった。
其の困難を解消出来たのが半鋼鉄製の薄孔目板です。
【背景技術】従来のチョッパーでは押し出しの圧力に耐える為の肉厚のプレート（孔目皿）を必用だった。しかしこの新技術によってチョッパー内で圧縮破壊物が（肉厚プレート孔目）摩擦無く通過する事が出来る。
【発明の間示】
平成１２年６月
【発明が解決しょうとする課題】
チョッパーのプレート直径が１５ｃｍ以上に成ると肉厚孔目になってしまうから小紛砕が出来なかった。
【課題を解決するための手段】
従来のプレートに２分の１の孔目板を密着させた。
【発明の効果】
チョッパーなどプレート（孔目皿）が大形化されても、小紛砕が可能に成る。
図面内容
▲１▼チョッパー本体え留める凹部
▲２▼薄鉄孔目板
▲３▼従来の肉厚孔目板
▲４▼薄板孔目小穴
▲５▼チョッパーラセン心棒
▲６▼チョッパー本体
▲７▼肉厚孔目板（プレート）穴
▲８▼肉厚孔目板（プレート）
▲９▼薄板孔目皿
▲１０▼切断力
▲１１▼チョッパーラセン、心棒
▲１２▼肉厚孔目（プレート）穴
▲１３▼薄板孔目穴
【図１】
2005185263.tif 000004
【図２】
2005185263.tif 000005
【手続補正書】
【提出日】平成16年3月18日(2004.3.18)
【手続補正１】
【補正対象書類名】特許請求の範囲
【補正対象項目名】全文
【補正方法】変更
【補正の内容】
【特許請求の範囲】
【請求項１】
チョッパーなどで製造物をより細かく砕き押し出しが楽にできる一部品。
【手続補正２】
【補正対象書類名】明細書
【補正対象項目名】全文
【補正方法】変更
【補正の内容】
【発明の詳細な説明】
【技術分野】
【０００１】本発明はチョッパーなどの練製品及び乾燥製品を直径４ｍｍ以下の小孔目プレート目皿より粉砕混練押し出しする場合圧縮された含水乾物状ぶつなどが幾種によっては、プレート（孔目皿）の孔目に目詰まりがおこり製品の押し出しが困難であった。
其の困難を解消出来たのが半鋼鉄製の薄孔目板です。
【背景技術】
【０００２】従来のチョッパーでは押し出しの圧力に耐える為の肉厚のプレート（孔目皿）を必要だった。しかしこの新技術によってチョッパー内で圧縮破壊物が（肉厚プレート孔目）摩擦無く通過することが出来る。
【発明の開示】
【０００３】平成１２年６月
【発明が解決しようとする課題】
【０００４】チョッパーのプレート直径が１５ｃｍ以上に成ると肉厚孔目になってしまうから小粉砕ができなかった。
【課題を解決するための手段】
【０００５】従来のプレートに２分の１の孔目板を密着させた。
【発明の効果】
【０００６】チョッパーなどプレート（孔目皿）が大型化されても、小粉砕が可能になる。
【図面の簡単な説明】
【０００７】
【図１】正面図
【図２】断面図
【符号の説明】
【０００８】▲１▼チョッパー本体え留める凹部
▲２▼薄鉄孔目板
▲３▼従来の肉厚孔目板
▲４▼薄板孔目小穴
(57)【要約】      （修正有）【課題】キビ汁の豊富な栄養分を直接取り込む方法として、風味のよい、栄養価値の高い飲料、即ち酢やワイン又はジュースを製造すること。【解決手段】キビを刈り取り調整後数日間又は数十日間刈り取り現場に放置又は特別に設置した貯蔵所に保管することで自然界の風味と色わいを良くする微生物の着生を促進することが出来、此を選別採取増殖して成るサトウキビ酵母とする。そして、この微生物の作用を利用することで風味の良い飲料、ジュース・ワイン・酢を生産する。【選択図】なし【特許請求の範囲】
【請求項１】
サトウキビを刈り取り調整後数日間乃至数十日間刈り取り現場に放置して有効微生物の着生を促し、此から選別採取した酵母を増殖して成る事を特徴とする、サトウキビ酵母。
【請求項２】
サトウキビの搾汁に植物エキス又は果汁を混入し、これに請求項１記載の酵母を添加して発酵製造した事を特徴とするキビ飲料。
【請求項３】
サトウキビの搾汁に請求項１記載の酵母を添加して無酸素状態で発酵製造した事を特徴として成るサトウキビワイン。
【請求項４】
サトウキビの搾汁に請求項１記載の酵母とワイン酵母を混合投入して無酸素状態で発酵製造して成るキビワイン。
【請求項５】
サトウキビの搾汁に請求項１記載の酵母を添加して有酸素状態で発酵製造した事を特徴とするサトウキビ酢。
【請求項６】
サトウキビの搾汁に請求項１記載の酵母と酢発酵酵母を添加して発酵製造して成るキビ酢。
【発明の詳細な説明】
【発明の詳細な説明】
【技術分野】
【０００１】  本発明は、サトウキビ畑に存在する有効微生物、即ち自然酵母を選別採取増殖して、此によるサトウキビの搾汁の自然発酵を促進し、更に有効酵母を組み合わせた風味の良い、栄養価値の高い飲料、ジュース・ワイン・酢の生産に関するものである。
【背景技術】
【０００２】  従来は、キビ汁を利用して黒糖や食酢等を製造していた、特に酢は素焼きの壺に入れて自然発酵をして製造していたが、此は風味が良くなかった、そして豊富なミネラルや栄養素などを多量に含むキビ汁に高熱を加え燃料を消費しながら蒸発させて黒糖を製造していた。
【発明が解決しようとする課題】
【０００３】  しかし、本発明は、豊富なミネラルや栄養素などを多量に含み量産可能なキビ汁に高熱を加え蒸発させて製造する黒糖以外に、この豊富な栄養分を直接取り込む方法として、風味の良い栄養価値の高い飲料、即ち酢やワイン又はジュースを製造する事を課題とする。
【課題を解決するための手段】
【０００４】  本発明は、以下の方法と作用を備えている、此には、微生物の利用方法があり自然界には数多くの微生物が存在すると言われているが、キビ畑にも風味を良くし色合いを良くする有効微生物が居ることが解った、請求項１記載のサトウキビ酵母は、サトウキビを刈り取り調整後数日間又は数十日間刈り取り現場に放置又は特別に設置した貯蔵所に保管することで自然界の風味と色わいを良くする微生物の着生を促進することが出来、此を選別採取増殖してサトウキビ酵母とする、そして、この微生物の作用を利用することで風味の良い飲料、ジュース・ワイン・酢を生産することが出来る。
【発明を実施するための最良の形態】
【０００５】      （実施の形態１）
本発明の実施の形態１は、サトウキビ酵母の採取増殖であり、刈り取り調整したサトウキビの両切り口は糖分がにじみ出ており微生物の栄養素として充分であり此に風味と色彩の良い微生物が自然と住み着きキビ全体に拡充するものと思われ、このキビを選別採取してこれを、搾ったキビ汁に投入して増殖と自然発酵を促進してサトウキビ酵母を製造する。【０００６】      （実の形態２）
本発明の実施の形態２は、サトウキビの搾汁に植物エキス又は果汁を混入し、これに請求項１記載の酵母を添加発酵し、最も目的の飲料として良好な時期を選び発酵を停止しこれを精製浄化して、キビ汁飲料を製造する。【０００７】      （実の形態３）
本発明の実施の形態３は、サトウキビの搾汁に八重山アオキの煎じ汁を混入しこれに請求項１記載の酵母を添加発酵し、目的の飲料として良好な時期を選び発酵を停止し、これを精製浄化してキビ汁飲料を製造する事も出来る。【０００８】      （実施の形態４）
本発明の実施の形態４は、サトウキビの搾汁に請求項１記載の酵母を添加して無酸素状態で発酵、目的の状態の最適時期に発酵を停止し、これを精製浄化してサトウキビワインを製造する事が出来る。【０００９】      （実施の形態５）
本発明の実施の形態５は、  サトウキビの搾汁に請求項１記載の酵母とワイン酵母を混合投入して無酸素状態で発酵、目的の状態の最適時期に発酵を停止し、これを精製浄化してキビワインを製造する事が出来る。【００１０】      （実施の形態６）
本発明の実施の形態６は、サトウキビの搾汁に請求項１記載の酵母を添加して有酸素状態で発酵、目的の状態の最適時期に発酵を停止し、これを精製浄化してサトウキビ酢を製造する事が出来る。【００１１】      （実施の形態７）
本発明の実施の形態７は、サトウキビの搾汁にサトウキビ酵母と酢発酵酵母を添加して発酵、目的の状態の最適時期に発酵を停止し、これを精製浄化してキビ酢を製造する事が出来る。【００１２】      （実施の形態８）
本発明の実施の形態８は、サトウキビの搾汁に果実汁を混入し、これにサトウキビ酵母を添加して発酵、目的の状態の最適時期に発酵を停止し、これを精製浄化してキビジュースを製造する事が出来る。
【発明の効果】
【００１３】  以上の様に、本発明に於けるサトウキビ酵母を利用したキビ汁飲料は、自然酵母の作用を利用して風味の良いキビ汁飲料を生産するので経費が安く健康に良く栄養も豊富で生産者の利潤にもつながる。
（１）本発明の、サトウキビ酵母は、サトウキビ刈り取り調整後数日間乃至数十日間刈り取り現場に放置して有効微生物の着生を促し、このように自然界から風味の良い色合いの良いものを選別採取し有効微生物を増殖して製造されるのでごく自然で安心して利用できる。
（２）本発明の、キビ汁飲料は、サトウキビの搾汁にサトウキビ酵母を添加発酵して精製浄化して製造するので栄養豊富で自然飲料として提供することが出来る。
（３）本発明の、キビ飲料は、サトウキビの搾汁に八重山アオキの煎じ汁を混入しこれにサトウキビ酵母を添加発酵して、これを精製浄化して製造するので健康に良く栄養豊富で安価で提供できる。
（４）本発明の、サトウキビワインは、サトウキビの搾汁にサトウキビ酵母を添加発酵して、これを精製浄化して製造するので色合い風味ともに良好で、しかも安価なワインを提供する事が出来る。
（５）本発明の、キビワインは、サトウキビの搾汁にサトウキビ酵母とワイン酵母を混合投入して発酵し、これを精製浄化して製造するので、サトウキビの持つ独特の風味と味を備えたキビワインを提供で出来る。
（６）本発明の、サトウキビ酢は、サトウキビの搾汁にサトウキビ酵母を添加して有酸素状態で発酵、これを精製浄化して製造するので風味色合い共に良く安価で提供できる。
（７）本発明の、キビ酢は、サトウキビの搾汁に酢発酵酵母とサトウキビ酵母を混合添加して発酵、これを精製浄化してキビ酢を製造するので安価で栄養豊富な酢の提供が出来る。
（８）本発明の、キビジュースは、サトウキビの搾汁に果実汁を混入し、これにサトウキビ酵母を添加して発酵、これを精製浄化して製造するので栄養豊富で安価なキビジュースを提供する事が出来る。